(57)【要約】      （修正有）【課題】着用する際の快適性を向上させるフェイスマスクを提供する。【解決手段】フェイスマスクのフェイスマスク本体１は、着用者の頭部を覆い、さらに着用者の鼻の下部を含む顔面の下部を覆うマスク部４、着用者の首を覆うネックカバー部５を有する。ネックカバー部５の後部及びネックカバー部５の側部に、保冷材７を収納可能にした、伸縮性のある生地により構成されるポケット９が設けられる。【選択図】図１
0003229757.tif 000002
【実用新案登録請求の範囲】
【請求項１】
着用者の頭部を覆い、さらに着用者の首を覆うネックカバー部を有するフェイスマスク本体を備え、
前記ネックカバー部の後部及び前記ネックカバー部の側部のうちの少なくともいずれかに、保冷材又は保温材を収納可能にしたことを特徴とするフェイスマスク。
【請求項２】
前記ネックカバー部を着用者の首に密着させて、前記ネックカバー部の側部に収納された前記保冷材又は前記保温材を、着用者の首の側部に密着させるアジャスタを備えたことを特徴とする請求項１に記載のフェイスマスク。
【請求項３】
前記アジャスタは、前記ネックカバー部の側部に一端が固定され、前記フェイスマスク本体の後頭部方向に延伸する第１の帯状布材と、前記第１の帯状布材の後頭部方向の端部を前記フェイスマスク本体に取り外し可能に固定する固定構造とを備えて構成されることを特徴とする請求項２に記載のフェイスマスク。
【請求項４】
前記フェイスマスク本体は、着用者の鼻の下部を含む顔面の下部を覆うマスク部を有し、
前記マスク部が下がるのを防止する保持構造を備えたことを特徴とする請求項１乃至３のいずれか１項に記載のフェイスマスク。
【請求項５】
前記保持構造は、前記マスク部の上部両端部を吊り下げるように保持する左右一対の第２の帯状布材を備えて構成されることを特徴とする請求項４に記載のフェイスマスク。
【請求項６】
前記第２の帯状布材は、前記マスク部から取り外し可能であることを特徴とする請求項５に記載のフェイスマスク。
【請求項７】
前記フェイスマスク本体は、着用者の両目及び両耳を露出する開口部を有する目出し帽タイプであることを特徴とする請求項１乃至６のいずれか１項に記載のフェイスマスク。
【請求項８】
前記フェイスマスク本体は、着用者の両目及び両耳を露出する開口部を有する目出し帽タイプであり、
左右一対の前記第２の帯状布材は、前記開口部を横切るように位置し、それぞれ着用者の右側の目と耳の間、及び、左側の目と耳の間を通るように位置することを特徴とする請求項５又は６に記載のフェイスマスク。
【請求項９】
前記ネックカバー部の後部及び前記ネックカバー部の側部のうちの少なくともいずれかに、前記保冷材又は保温材を収納可能にした、伸縮性のある生地により構成されるポケットが設けられることを特徴とする請求項１乃至８のいずれか１項に記載のフェイスマスク。
【考案の詳細な説明】
【技術分野】
【０００１】
本考案は、着用者の頭部を覆うフェイスマスクに関する。
【背景技術】
【０００２】
例えば異物からの保護を目的として、着用者の頭部を覆うフェイスマスクが使用される。フェイスマスクに関する技術の例として、特許文献１には、頭部および顔面に密着しやすく、かつ、着用者が快適に着用することができるようにした目出し帽が提案されている。
【先行技術文献】
【特許文献】
【０００３】
【特許文献１】実用新案登録第３１７５９６２号公報
【考案の概要】
【考案が解決しようとする課題】
【０００４】
本考案は、フェイスマスクを着用する際の快適性を向上させることを目的とする。
【課題を解決するための手段】
【０００５】
本考案のフェイスマスクは、着用者の頭部を覆い、さらに着用者の首を覆うネックカバー部を有するフェイスマスク本体を備え、前記ネックカバー部の後部及び前記ネックカバー部の側部のうちの少なくともいずれかに、保冷材又は保温材を収納可能にしたことを特徴とする。
【考案の効果】
【０００６】
本考案によれば、フェイスマスクを着用する際の快適性を向上させることができる。
【図面の簡単な説明】
【０００７】
【図１】実施形態に係るフェイスマスクの着用状態を示す正面図である。
【図２】実施形態に係るフェイスマスクの着用状態を示す側面図である。
【図３】実施形態に係るフェイスマスクの着用状態を示す背面図である。
【図４】実施形態に係るフェイスマスクのフェイスマスク本体のパーツ構成例を示す分解図である。
【考案を実施するための形態】
【０００８】
以下、添付図面を参照して、本考案の好適な実施形態について説明する。
図１乃至図４を参照して、実施形態に係るフェイスマスクを説明する。本実施形態では、高温環境での熱中症対策に有効なフェイスマスクを説明する。
図１乃至図３は、実施形態に係るフェイスマスクの着用状態を示す正面図、側面図、背面図である。図１乃至図３に示すように、フェイスマスクは、着用者の頭部を覆うフェイスマスク本体１を備える。本願において「頭部」とは、着用者の首よりも上の全体の部位（顔面を含む）をいうものとする。
【０００９】
フェイスマスク本体１は、着用者の頭部全体を覆い、帽子部分２０を有し、両目及び両耳を露出する開口部２を有する目出し帽タイプである。耳まで露出させることにより、体温の上昇を抑えるとともに聴力を確保することができる。開口部２の周縁部には、パイピングテープ３が縫い付けられる。
【００１０】
また、フェイスマスク本体１は、顔面の下部、より詳細には着用者の鼻の下部を含む口まわりを覆うマスク部４を有する。マスク部４のうちの鼻に触れる部分（図１、図２で斜線で示す部分）には、水分に反応して温度を下げるキシリトールプリントが施されており、呼気や汗によって清涼感を得ることが可能である。
【００１１】
また、フェイスマスク本体１は、着用者の首を覆うネックカバー部５を有する。ネックカバー部５は、スカート状を有し、首回り全体を覆う。ネックカバー部５の裾形状は、着用者の首から肩にかけてのラインに合わせて適宜なカーブ形状を有する。ネックカバー部５の裾部には、パイピングテープ６が縫い付けられる。
【００１２】
フェイスマスク本体１は、適宜な通気性及び伸縮性のある生地により構成される。生地の素材は限定されるものではないが、例えばポリエステル、ナイロン、ポリウレタン、綿等から選択されたものを含む素材とすればよい。フェイスマスク本体１の素材には、紫外線防止機能、制菌機能、抗菌防臭機能、吸汗速乾機能等、フェイスマスクの使用目的に応じて適宜な機能を持たせるようにしてもよい。また、フェイスマスク本体１の部位に応じて、素材を適宜異ならせるようにしてもよい。例えばマスク部４とそれ以外の部位とで素材を異ならせる等である。
【００１３】
また、パイピングテープ３、６は、適宜な伸縮性のある生地により構成される。パイピングテープ３、６の素材には、紫外線防止機能、制菌機能、抗菌防臭機能、吸汗速乾機能等の適宜な機能を持たせるようにしてもよい。
【００１４】
ここで、フェイスマスク本体１のネックカバー部５の後部内側には、保冷材７を収納可能なポケット８が設けられる。ポケット８は、上下にまっすぐに配置される。ポケット８は、伸縮性のある生地により構成され、例えばフェイスマスク本体１と同素材が用いられる。ポケット８は、両側部及び下部がフェイスマスク本体１の内側に縫い合わされ、上部８ａが開口しており、上部８ａの開口から保冷材７を出し入れすることができる。ポケット８の深さは、保冷材７の挿脱方向の長さよりも深くして、保冷材７の全体を収納して覆うようにする。
【００１５】
また、フェイスマスク本体１のネックカバー部５の左右の側部内側には、保冷材７を収納可能なポケット９が設けられる。ポケット９は、前下がりになるように斜めに配置される。ポケット９は、伸縮性のある生地により構成され、例えばフェイスマスク本体１と同素材が用いられる。ポケット９は、両側部及び前部がフェイスマスク本体１の内側に縫い合わされ、後部９ａが開口しており、後部９ａの開口から保冷材７を出し入れすることができる。ポケット９の深さは、保冷材７の挿脱方向の長さよりも深くして、保冷材７の全体を収納して覆うようにする。
【００１６】
なお、保冷材７としては、公知のものを使用すればよく、例えば物体を低温に保つための薬剤が袋詰めされている保冷剤（蓄冷剤）を使用すればよい。
【００１７】
また、実施形態に係るフェイスマスクは、アジャスタ１０を備える。アジャスタ１０は、ネックカバー部５を着用者の首に密着させて、ポケット９に収納された保冷材７を、着用者の首の側部に密着させる。
アジャスタ１０は、第１の帯状布材１１と、樹脂製のスナップ１２、１３とを備えて構成される。
ネックカバー部５の左右の側部表面には、第１の帯状布材１１が配置される。第１の帯状布材１１は、ポケット９よりも後方位置で一端１１ａが固定され、フェイスマスク本体１の後頭部方向に延伸する。より詳細には、第１の帯状布材１１は、ポケット９の上部９ａの開口の位置からやや離れた位置で一端１１ａがフェイスマスク本体１に縫い付けられ、第１のポケット９の後上がり角度と同様の角度で、フェイスマスク本体１の後頭部方向に延伸する。第１の帯状布材９の他端（後頭部方向の端部）１１ｂには、スナップ１２を備えたテープが縫い付けられる。第１の帯状布材１１は、フェイスマスク本体１とは異なり、伸縮性のない生地により構成される。
【００１８】
また、フェイスマスク本体１の後頭部の下部には、第１の帯状布材１１のスナップ１２に対応するスナップ１３を備えたテープが縫い付けられる。フェイスマスク本体１の後頭部の複数箇所にスナップ１３が配置されるようにし、任意のスナップ１３に、第１の帯状布材１１のスナップ１２を係止させられるようにする。図１乃至図３は、第１の帯状布材１１のスナップ１２をスナップ１３に係止させていない状態を示す。
【００１９】
フェイスマスク本体１において、頭部を覆う部分は頭部に密着するが、ネックカバー部５はスカート状であり、そのままでは首に密着しない。そこで、フェイスマスクを着用した状態で、第１の帯用布材１１を引っ張り上げて、ネックカバー部５の前部及び側部を首に密着させる。この状態で第１の帯状布材１１のスナップ１２をいずれかのスナップ１３に係止させることにより、ネックカバー部５を着用者の首に密着させて、ポケット９に収納された保冷材７を、着用者の首の側部に密着させた状態に維持することができる。第１の帯状布材１１のスナップ１２を係止させるスナップ１３を選択することにより、着用者の首の太さに合わせて密着させることができる。
【００２０】
なお、第１の帯状布材１１の一端１１ａの固定位置から、第１の帯状布材１１の長さ分だけ離れた位置に、第１の帯状布材１１のスナップ１２に対応するスナップ１４を備えたテープが縫い付けられる。フェイスマスクを着用しないとき、スナップ１４に第１の帯状布材１１のスナップ１２を係止させておくことにより、第１の帯状布材１１を保持しておくことができる。図１乃至図３は、第１の帯状布材１１のスナップ１２をスナップ１４に係止させた状態を示す。
【００２１】
また、実施形態に係るフェイスマスクは、保持構造１５を備える。保持構造１５は、マスク部４が下がるのを防止する。
保持構造１５は、マスク部４の上部両端部を吊り下げるように保持する左右一対の第２の帯状布材１６を備えて構成される。
第２の帯状布材１６は、フェイスマスク本体１の後頭部の上部に一端１６ａが固定され、マスク部４方向に延伸する。より詳細には、第２の帯状布材１６は、フェイスマスク本体１の後頭部の上部に一端１６ａが縫い付けられ、開口部２を横切るようにして、マスク部４方向に延伸する。第２の帯状布材１６の他端（マスク部４方向の端部）１６ｂには、スナップ１７を備えたテープが縫い付けられる。第２の帯状布材１６は、フェイスマスク本体１とは異なり、伸縮性のない生地により構成される。
【００２２】
また、マスク部４の上部両端部には、第２の帯状布材１６のスナップ１７に対応するスナップ１８を備えたテープが縫い付けられる。
【００２３】
ネックカバー部５に収納した保冷材７、特に側部のポケット９に収納した保冷材７の重量により、マスク部４が下がりやすくなることがある。特に開口部２が両耳までを露出する広い開口を有する仕様の場合、さらにマスク部４が下がりやすくなる。そこで、第２の帯状布材１６のスナップ１７をマスク部４のスナップ１８に係止させることにより、マスク部４を吊り下げるように保持し、マスク部４が下がるのを防止することができる。
第２の帯状布材１６のスナップ１７をマスク部４のスナップ１８に係止させた状態で、図２に示すように、第２の帯状布材１６は、それぞれ右側の目と耳の間、及び、左側の目と耳の間を通るように位置する。このように開口部２の端部と第２の帯状布材１６との間に耳が位置するので、フェイスマスク本体１が左右にずれるのを防ぐことができる。
【００２４】
なお、フェイスマスク本体１の後頭部の適所には、第２の帯状布材１６のスナップ１７に対応するスナップ１９を備えたテープが縫い付けられる。フェイスマスクを着用するときに、フェイスマスク本体１の帽子部分２０を被らずに、帽子部分２０を後方に折り返すように降ろしておくこともできる。このときに、スナップ１９に第２の帯状布材１６のスナップ１７を係止させておくことにより、第２の帯状布材１６を保持しておくことができる。
また、第２の帯状布材１６はマスク部４から取り外し可能であり、例えば第２の帯状布材１６をマスク部４から取り外し、マスク部４を首までスライドさせるように降ろせば、鼻や口を露出させた状態にして、フェイスマスクを帽子として使用することも可能である。
【００２５】
図４に、フェイスマスク本体１のパーツ構成例を示す。
フェイスマスク本体１は、センターパーツ１ａ、左右一対のサイドパーツ１ｂ、アンダーパーツ１ｃにより構成される。
センターパーツ１ａは、着用者のおでこから頭頂部を経て後頭部を覆うパーツであり、さらにはネックカバー部５の後部を構成する。センターパーツ１ａの内側において取り付け位置８ｂに、ポケット８が取り付けられる。
サイドパーツ１ｂは、着用者の側頭部から耳の後及び下方を覆うパーツであり、さらにはネックカバー部５の側部を構成する。サイドパーツ１ｂは、センターパーツ１ａの両サイドに縫合される。
アンダーパーツ１ｃは、マスク部４及びネックカバー部５の前部を構成する。アンダーパーツ１ｃは、左右のサイドパーツ間１ｂに配置され、左右のサイドパーツ１ｂの内側サイドに縫合される。サイドパーツ１ｂ及びアンダーパーツ１ｃの内側において取り付け位置９ｂに、ポケット９が取り付けられる。
これらパーツ１ａ、１ｂ、１ｃが縫合されることにより、帽子部２０、開口部２、マスク部４、ネックカバー部５を有する目出し帽タイプのフェイスマスク本体１が構成される。
【００２６】
以上のようにしたフェイスマスクでは、着用者の首の後部及び側部を保冷材７で冷やすことができる。首の後部は頸椎周辺であり、そこを冷やすことにより、効果的に冷却することができる。また、首の側部は頸動脈周辺であり、そこを冷やすことにより、効果的に体温を低下させることができる。
また、アジャスタ１０により、ポケット９に収納された保冷材７を、着用者の首の側部に密着させることができ、高い冷却効果を得ることができる。
また、保持構造１５により、マスク部４が下がるのを防止することができる。
【００２７】
また、ポケット８、９が伸縮性のある生地により構成されるので、保冷材７の出し入れがしやすい。また、ポケット８、９が伸縮性のある生地により構成されるので、ポケット８、９に保冷材７を収納したとき、ポケット８、９の生地が伸長して、保冷材７に圧をかけた状態になり、保冷材７がずれ動きにくくなり、保冷材７の脱落を防ぐことができる。
【００２８】
以上述べたように、フェイスマスクを着用する際に、高い冷却効果が得られるとともに、着用感に優れ、快適性を向上させることができる。
【００２９】
なお、本実施形態では、目出し帽タイプのフェイスマスクを例にしたが、これに限定されるものではない。例えば帽子部分２０を有さず、着用者の頭部の下部（顔面の口まわり及び後頭部の下部）だけを覆う仕様のフェイスマスクにも本考案は適用可能である。
【００３０】
また、第１の帯状布材１１の後頭部方向の端部１１ｂをフェイスマスク本体１に取り外し可能に固定する固定構造として、スナップ１２、１３を利用する例を述べたが、これに限定されるものではなく、例えば面ファスナ等を利用するようにしてもよい。
【００３１】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。また、実施形態を適宜組み合わせてもよい。
【００３２】
本考案を適用するフェイスマスクの用途は限定されるものではない。実施形態で述べたようなフェイスマスクは、高温環境で、さらに例えば流行性感冒防止や、粉塵吸入防止や、ミスト吸入防止や、液体飛沫防止のためマスク着用が必要な環境において熱中症対策として有効である。マスク着用が必要な環境とは、感染防止の防護服着用、放射能暴露防止の防護服着用、農薬の経皮浸透防止の防護服着用、劇薬や粉塵の暴露防止の防護服着用やヘルメット着用義務のある建設現場、土木工事、その他の作業現場である。防護服は、粉塵やミストや液体から身体を防護する機能から通気性に乏しく、防護服内の温度を上昇させる。その上、露出する顔部分には防護メガネやマスクを装着しなければならない。このような環境下で、一般的なサージカルマスクでは、発汗の吸水性に乏しいばかりか、通気性を抑えることで呼吸によってマスク周辺の体温が上がる。また、布製のマスクを代用することが考えられるが、上記のような環境においては呼吸によってマスク周辺の体温が上がることは同様である。実施形態に係るフェイスマスクでは、マスク部４がマスクとしても機能するとともに、体温が上がるのを防ぐことができる。
また、上述したような用途に限定されるものではなく、例えばスポーツ用のフェイスマスクや、日焼け防止やＵＶカットのための一般用のフェイスマスクとしてもよい。
また、ネックカバー部５だけでなく、他の箇所（例えばフェイスマスク本体１の後頭部）にも保冷材７を収納可能にしてもよい。
【００３３】
また、実施形態では、高温環境で着用するフェイスマスクを例にして、保冷材７を収納する構成を説明したが、これに限定されるものではない。例えば低温環境で着用するフェイスマスクとして、フェイスマスク本体１の素材を適宜防寒、保温に適したものにするとともに、ネックカバー部の後部や側部に保温材を収納するようにしてもよい。
【符号の説明】
【００３４】
１：フェイスマスク本体、２：開口部、４：マスク部、５：ネックカバー部、７：保冷材、８、９：ポケット、１０：アジャスタ、１１：第１の帯状布材、１２、１３、１４、１７、１８、１９：スナップ、１５：保持部、１６：第２の帯状布材
【図１】
0003229757.tif 000003
【図２】
0003229757.tif 000004
【図３】
0003229757.tif 000005
【図４】
0003229757.tif 000006
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
着用者の頭部を覆い、さらに着用者の首を覆うネックカバー部を有するフェイスマスク本体を備え、
前記ネックカバー部の後部及び前記ネックカバー部の側部のうちの少なくともいずれかに、保冷材又は保温材を収納可能にしたポケットが設けられることを特徴とするフェイスマスク。
【請求項２】
前記ネックカバー部を着用者の首に密着させて、前記ネックカバー部の側部に収納された前記保冷材又は前記保温材を、着用者の首の側部に密着させるアジャスタを備えたことを特徴とする請求項１に記載のフェイスマスク。
【請求項３】
前記アジャスタは、前記ネックカバー部の側部に一端が固定され、前記フェイスマスク本体の後頭部方向に延伸する第１の帯状布材と、前記第１の帯状布材の後頭部方向の端部を前記フェイスマスク本体に取り外し可能に固定する固定構造とを備えて構成されることを特徴とする請求項２に記載のフェイスマスク。
【請求項４】
前記フェイスマスク本体は、着用者の鼻の下部を含む顔面の下部を覆うマスク部を有し、
前記マスク部が下がるのを防止する保持構造を備えたことを特徴とする請求項１乃至３のいずれか１項に記載のフェイスマスク。
【請求項５】
前記保持構造は、前記マスク部の上部両端部を吊り下げるように保持する左右一対の第２の帯状布材を備えて構成されることを特徴とする請求項４に記載のフェイスマスク。
【請求項６】
前記第２の帯状布材は、前記マスク部から取り外し可能であることを特徴とする請求項５に記載のフェイスマスク。
【請求項７】
前記フェイスマスク本体は、着用者の両目及び両耳を露出する開口部を有する目出し帽タイプであることを特徴とする請求項１乃至６のいずれか１項に記載のフェイスマスク。
【請求項８】
前記フェイスマスク本体は、着用者の両目及び両耳を露出する開口部を有する目出し帽タイプであり、
左右一対の前記第２の帯状布材は、前記開口部を横切るように位置し、それぞれ着用者の右側の目と耳の間、及び、左側の目と耳の間を通るように位置することを特徴とする請求項５又は６に記載のフェイスマスク。
【請求項９】
前記ポケットは、伸縮性のある生地により構成されることを特徴とする請求項１乃至８のいずれか１項に記載のフェイスマスク。
【手続補正２】
【補正対象書類名】明細書
【補正対象項目名】０００５
【補正方法】変更
【補正の内容】
【０００５】
本考案のフェイスマスクは、着用者の頭部を覆い、さらに着用者の首を覆うネックカバー部を有するフェイスマスク本体を備え、前記ネックカバー部の後部及び前記ネックカバー部の側部のうちの少なくともいずれかに、保冷材又は保温材を収納可能にしたポケットが設けられることを特徴とする。